(57)【要約】【課題】全体を折り畳むように纏めた際に形状が崩れ難く、更に、チューブの曲げに起因したキンク等により不具合が生じることを抑制できる液体回路を提供する。【解決手段】可撓性を有するチューブ２を有し、チューブ２で折り畳み可能な液体流路３と、液体流路３を複数の流路部４Ａ，４Ｂ，４Ｃに分けて定形状にて保持すると共に、前記各流路部４Ａ，４Ｂ，４Ｃに対応し、且つ、液体流路３を折り畳んだ際に互いに重なり合う加温パネル５、ポンプチューブホルダー６、及び計量チャンバパネル８と、重なり合った加温パネル５、ポンプチューブホルダー６、及び計量チャンバパネル８同士の相対位置を固定する位置決め部９Ａ，９Ｂと、を備える液体回路１である。【選択図】図３
2015073847.tif 000002
【特許請求の範囲】
【請求項１】
液体が流動する液体回路であって、
可撓性を有するチューブを有し、前記チューブで折り畳み可能な液体流路と、
前記液体流路を複数の流路部に分けて定形状にて保持すると共に、前記各流路部に対応し、且つ、前記液体流路を折り畳んだ際に重なり合う複数の流路保持部と、
重なり合う前記複数の流路保持部同士の相対位置を固定する位置決め部と、を備える液体回路。
【請求項２】
前記複数の流路保持部は、板状のメイン保持部と、前記メイン保持部に重なる側の領域の面積が前記メイン保持部よりも小さいサブ保持部とを有し、
前記サブ保持部は、前記メイン保持部に重なった際に前記メイン保持部の領域内に収まる、請求項１記載の液体回路。
【請求項３】
前記位置決め部は、前記サブ保持部に設けられたサブ側嵌合部と、前記メイン保持部に設けられ、前記サブ側嵌合部に嵌め込まれて前記サブ保持部を位置決めするメイン側嵌合部とを有する、請求項２記載の液体回路。
【請求項４】
前記メイン保持部は、パネル本体部と、前記パネル本体部の周縁から突き出す突出部とを有し、
前記メイン保持部と前記サブ保持部とが重なり合う状態で、前記メイン保持部に保持された前記流路部と前記サブ保持部に保持された前記流路部とを接続する前記チューブは、前記パネル本体部の周縁から突き出して折れ曲がる屈曲部を有し、
前記突出部は、前記屈曲部を避けて突き出している、請求項２または３記載の液体回路。
【請求項５】
前記突出部の突出長さは、前記屈曲部の突出長さと同じ又は長い、請求項４記載の液体回路。
【請求項６】
前記メイン保持部は、前記液体流路を通過する液体を加温する加温パネルであり、前記サブ保持部の少なくとも一つは、前記チューブのうち、ローラポンプに装着される巻回部を保持するポンプチューブホルダーである、請求項２〜５のいずれか一項記載の液体回路。
【請求項７】
前記メイン保持部は、前記液体流路を通過する液体を加温する加温パネルであり、前記サブ保持部の少なくとも一つは、計量チャンバパネルである、請求項２〜６のいずれか一項記載の液体回路。
【請求項８】
前記サブ保持部の一つは、前記チューブのうち、ローラポンプに装着される巻回部を保持するポンプチューブホルダーであり、他の一つは計量チャンバパネルであり、前記計量チャンバパネルは、前記メイン保持部を挟んで前記ポンプチューブホルダーとは反対側に配置されている請求項２〜７のいずれか一項記載の液体回路。
【請求項９】
前記計量チャンバには、前記位置決め部として位置決め切欠きが設けられており、前記メイン保持部には、前記位置決め部として前記位置決め切欠きに嵌め込まれて前記計量チャンバを位置決めする計量チャンバ固定部が設けられている請求項７または８記載の液体回路。
【請求項１０】
前記複数の流路保持部の少なくとも一つには、スパイク針を固定する針ホルダーが設けられている、請求項１〜９のいずれか一項記載の液体回路。
【発明の詳細な説明】
【技術分野】
【０００１】
本発明は、補液、透析液、血液等の液体が流動する液体回路に関する。
【背景技術】
【０００２】
透析治療に用いられる透析装置などの医療装置には、血液が循環する血液回路や血液回路に薬液を補液する補液回路などが装着される。補液回路は、薬液が流動するチューブを備えており、回路の途中には、薬液に付与する目的や役割に応じた流路部（加温部など）が設けられている。この種の液体回路は、可撓性を有するチューブで折り曲げられ、全体を折り畳むように纏められて搬送用の段ボール箱に収納される。
【発明の概要】
【発明が解決しようとする課題】
【０００３】
しかしながら、全体を単に纏めただけの従来の液体回路では、搬送時に、液体回路の纏まりが解け、その形状が崩れ易かった。また、液体回路を折り畳む際には、通常、チューブが曲げられる位置においてキンク等が生じ、不具合が発生してしまうことがある。
【０００４】
本発明は、以上の課題を解決することを目的とし、全体を折り畳むように纏めた際に形状が崩れ難く、更に、チューブの曲げに起因した不具合が生じない液体回路を提供することを目的とする。
【課題を解決するための手段】
【０００５】
本発明は、液体が流動する液体回路であって、可撓性を有するチューブを有し、チューブで折り畳み可能な液体流路と、液体流路を複数の流路部に分けて定形状にて保持すると共に、前記各流路部に対応し、且つ、前記液体流路を折り畳んだ際に重なり合う複数の流路保持部と、重なり合う前記複数の流路保持部同士の相対位置を固定する位置決め部と、を備える。
【０００６】
この液体回路では、液体流路の各流路部が流路保持部で保持され、更に、位置決め部によって流路保持部同士の相対位置も固定されるので、液体流路を折り畳んで纏めても液体回路の形状は崩れ難く、安定している。また、チューブの曲げに起因したキンク等の不具合を抑制でき、品質の安定性に有利である。
【０００７】
複数の流路保持部は、板状のメイン保持部と、メイン保持部に重なる側の領域の面積がメイン保持部よりも小さいサブ保持部とを有し、サブ保持部は、メイン保持部に重なった際にメイン保持部の領域内に収まるようにすることもできる。この構成では、メイン保持部の領域内にサブ保持部が収まることでコンパクト化に有利である。
【０００８】
位置決め部は、サブ保持部に設けられたサブ側嵌合部と、メイン保持部に設けられ、サブ側嵌合部に嵌め込まれてサブ保持部を位置決めするメイン側嵌合部とを有する液体回路とすることができる。メイン側嵌合部をサブ側嵌合部に嵌め込むことでメイン保持部とサブ保持部との相対位置を確実に、且つ簡易に固定できる。
【０００９】
メイン保持部は、パネル本体部と、パネル本体部の周縁から突き出す突出部とを有し、メイン保持部とサブ保持部とが重なり合う状態で、メイン保持部に保持された流路部とサブ保持部に保持された流路部とを接続するチューブは、パネル本体部の周縁から突き出して折れ曲がる屈曲部を有し、突出部は、屈曲部を避けて突き出している液体回路とすることができる。この構成では、パネル本体部の周縁でチューブの屈曲部を踏んで潰してしまうのを突出部が干渉して防止できる。つまり、突出部がチューブの屈曲部を保護するので、品質向上に有利である。
【００１０】
更に、突出部の突出長さを屈曲部の突出長さと同じ又は長くすることができ、この構成では、縦置きした場合等にも、チューブの屈曲部の潰れを、突出部によって、より確実に保護できる。
【００１１】
メイン保持部は、液体流路を通過する液体を加温する加温パネルであり、サブ保持部の少なくとも一つは、上記のチューブのうち、ローラポンプに装着される巻回部を保持するポンプチューブホルダーとすることができる。加温パネルをメイン保持部で兼用でき、ポンプチューブホルダーをサブ保持部で兼用できるので、部品点数を抑え、コンパクト化に有利である。
【００１２】
メイン保持部は、液体流路を通過する液体を加温する加温パネルであり、サブ保持部の少なくとも一つは、計量チャンバパネルとすることができる。加温パネルをメイン保持部で兼用でき、計量チャンバパネルをサブ保持部で兼用できるので、部品点数を抑え、コンパクト化に有利である。
【００１３】
サブ保持部の一つは、上記のチューブのうち、ローラポンプに装着される巻回部を保持するポンプチューブホルダーであり、他の一つは計量チャンバパネルであり、計量チャンバパネルを、メイン保持部を挟んでポンプチューブホルダーとは反対側に配置することもできる。この構成では、液体回路を折り畳んだ際に、メイン保持部の一方の面側にポンプチューブホルダーを重ね、他方の面側に計量チャンバパネルを重ねるようにして折り畳めるので、コンパクト化に有利である。
【００１４】
計量チャンバパネルには、位置決め部として位置決め切欠きを設け、メイン保持部には、位置決め部として位置決め切欠きに嵌め込まれて計量チャンバパネルを位置決めする計量チャンバ固定部を設けることができる。この構成では、位置決め切欠きに計量チャンバ固定部が嵌め込まれることによって計量チャンバパネルをメイン保持部に確実に固定できる。
【００１５】
複数の流路保持部の少なくとも一つには、スパイク針を固定する針ホルダーが設けられている液体回路とすることができる。この構成では、針ホルダーによってスパイク針を安定して保持させることができる。
【発明の効果】
【００１６】
本発明によれば、全体を折り畳むように纏めた際に、チューブの曲げに起因した不具合を抑制することができる。
【図面の簡単な説明】
【００１７】
【図１】本発明の一実施形態に係る補液回路を装着可能な透析装置の斜視図である。
【図２】ポンプチューブホルダーで保持された３本のチューブを、それぞれローラポンプに巻き付けた状態を示す斜視図である。
【図３】本実施形態に係る補液回路を表面側から見た図である。
【図４】本実施形態に係る補液回路を裏面側から見た図である。
【図５】本実施形態に係る補液回路の折り畳んだ状態を示し、裏面側から見た図である。
【図６】本実施形態に係る補液回路の断面図であり、（ａ）は図５のＶＩ−ＶＩ線に沿った断面図であり、（ｂ）は（ａ）図のｂ−ｂ線に沿った断面図である。
【図７】本実施形態に係る補液回路の折り畳んだ状態を示し、表面側から見た図である。
【図８】図７のＶＩＩＩ−ＶＩＩＩ線に沿った断面図である。
【発明を実施するための形態】
【００１８】
以下、図面を参照しつつ本発明の好適な実施形態について詳細に説明する。なお、本実施形態で用いる「液体」とは、医療用途で用いられる液体であり、補充液、透析液、血液等が含まれる。
［透析装置］
【００１９】
図１に示されるように、本実施形態に係る液体回路１は、補液や透析液が流動する回路であり、液体処理装置、例えば透析装置１００に装着されて用いられる。透析装置１００は、装置本体１０１と、装置本体１０１を支える台車部１０２と、装置本体１０１の上方に配置された操作パネル１０３と、装置本体１０１の脇に立設され、液体貯留バック等を吊り下げるポール１０４とを備えている。
【００２０】
装置本体１０１は、正面部分１１０と側面部分１１１とを備えており、正面部分１１０の所定位置には、血液回路１２０が装着される。正面部分１１０には、血液回路１２０の流路となるチューブを開閉する各種クランプ、液体を圧送するローラポンプ、流体圧を検出する圧力センサ、濾過膜モジュールを保持するフィルタホルダーなどが設けられている。
【００２１】
側面部分１１１には開閉する扉１１２が設けられており、扉１１２に面する部分に液体回路１が装着される。また、側面部分１１１の上部であって、扉１１２から露出する部分には、３つのローラポンプ１１３が配置されている。各ローラポンプ１１３には、液体回路１のチューブ２が半周ほど捲かれ、回転するローラポンプ１１３が可撓性を有するチューブ２をしごきながら液体を移送する。また、側面部分１１１には、液体回路１を流動する液体を加温するヒータ１１６が設けられている。
［液体回路］
【００２２】
図３、及び図４に示されるように、液体回路１は、ポリ塩化ビニル等で製造された可撓性を有するチューブ２を備え、チューブ２で折り畳み可能な液体流路３を備えている。液体流路３は、その機能的役割に応じて３つ（複数）の流路部に分かれている。本実施形態に係る流路部は、通過する液体を加温する加温用流路部４Ａと、ローラポンプ１１３にセットされることで液体を圧送する圧送用流路部４Ｂと、液体を計量する計量用流路部４Ｃとを備えている。
【００２３】
加温用流路部４Ａは、加温パネル（流路保持部）５によって定形状に保持され、圧送用流路部４Ｂはポンプチューブホルダー（流路保持部）６によって定形状に保持され、更に計量用流路部４Ｃは計量チャンバパネル（流路保持部）８によって定形状に保持されている。また、加温パネル５は液体回路の中央に配置されており、ポンプチューブホルダー６、及び計量チャンバパネル８は、加温パネル５を挟んで両側に配置されている。加温パネル５は、メイン保持部の一例であり、ポンプチューブホルダー６、及び計量チャンバパネル８はサブ保持部の例である。
【００２４】
加温用流路部４Ａ、圧送用流路部４Ｂ、及び計量用流路部４Ｃは、それぞれ液体が通過するチューブ２によって接続されており、その結果として加温パネル５、ポンプチューブホルダー６、及び計量チャンバパネル８も物理的にはチューブ２を介して互いに接続されている。チューブ２は、可撓性を有するので、加温パネル５、ポンプチューブホルダー６、及び計量チャンバパネル８は、チューブ２で折り畳み、そして重ね合わせることが可能である（図５、及び図７参照）。
【００２５】
重ね合わせる際には、中央の加温パネル５の一方の面側に計量チャンバユニットを重ね、他方の面側にポンプチューブホルダー６を重ねる。互いに重ね合わせられた加温パネル５、ポンプチューブホルダー６、及び計量チャンバパネル８は、位置決め部９Ａ，９Ｂによって相対位置がずれないように固定される。なお、以下の説明において、加温パネル５の一方の面側を表面といい、他方の面側を裏面という。また、ポンプチューブホルダー６、及び計量チャンバパネル８も同様であり、加温パネル５に重ね合わせる前の状態において、加温パネル５の表面と同じ方向を向く面を表面と言い、反対側の面を裏面という。
［加温パネル］
【００２６】
図３、及び図４に示されるように、板状の加温パネル５は、パネル本体部５１と、パネル本体部５１の周縁から突き出す突出部５２，５３とを備えている。更に、パネル本体部５１は、縦長の略矩形の加温部５４と、加温部５４の外周を取り囲んで保持する枠部５５とを備えている。加温部５４は、例えばＰＰでブロー成形し、枠部５５は、例えば、ＡＢＳで射出成形する。
【００２７】
枠部５５の外形は略矩形であり、上下一対の短辺５ａ，５ｂのうち、一方（上方）の短辺５ａに隣接してポンプチューブホルダー６が配置され、他方（下方）の短辺５ｂに隣接して計量チャンバパネル８が配置されている。
【００２８】
枠部５５の中央に形成された開口は、加温部５４の外形に対応しており、加温部５４は、枠部５５の表面側、つまり、加温パネル５の表面側で開口を塞ぐようにセットされる。開口の上縁に沿った二か所、及び下縁に沿った二か所には、加温部５４を引っ掛けて保持するための爪部（図示省略）が設けられている。
【００２９】
加温部５４には、加温用流路部４Ａの一部として、ヒータ１１６との接触面を大きくとるための蛇行流路５４ａが左右二列で形成されており、二列の蛇行流路５４ａには、入口と出口とのそれぞれにチューブ２が接続されている。加温部５４の四隅（角部）近傍には、枠部５５の爪部に引っ掛かる掛止孔（図示省略）が設けられている。加温部５４は、複数の掛止孔を、枠部５５の爪部に引っ掛けることで、開口を塞ぐように枠部５５に容易に装着される。また掛止孔から外すことで、容易に取り外すことができる。
【００３０】
また、枠部５５には、外周の一部である上方の短辺（以下、「上辺」という）５ａから突出する四本（複数）の突出部（以下、「上部突出部」という）５２と、下方の短辺（以下、「下辺」という）５ｂから突出する二本（複数）の突出部（以下、「下部突出部」という）５３とがそれぞれ設けられている。また、枠部５５の表面側には、加温部５４の蛇行流路５４ａに接続されたチューブ２が配置されており、枠部５５の表面には、チューブ２を保持する複数のフック５６ａ，５６ｂが設けられている。
【００３１】
更に、複数のフック５６ａ，５６ｂは、突出部回避用フック５６ａと、一般用フック５６ｂとに分けられる。突出部回避用フック５６ａは、上部突出部５２の根元を避け、脇にずれるように設けられており、一般用フック５６ｂは、チューブ２の配置に応じて適宜に設けられている。
【００３２】
ここで、突出部回避用フック５６ａの作用について詳述する。図５、及び図７に示されるように、液体回路１を折り畳んで収納する際には、加温パネル５の裏面にポンプチューブホルダー６が重ねられる。したがって、加温パネル５とポンプチューブホルダー６とを接続するチューブ２は、表面側から裏面側に向けて枠部５５の上辺５ａを跨ぐように屈曲する。この場合、突出部回避用フック５６ａで保持されたチューブ２の先である屈曲部２ａは、必然的に上部突出部５２を避けることになる。
【００３３】
つまり、本実施形態では、上部突出部５２がチューブ２の屈曲部２ａを避けて突き出しているので、上部突出部５２を下に向けて液体回路１を縦置きした場合に、上部突出部５２が床面に干渉して隙間を作るので、パネル本体部５１の周縁（枠部５５）でチューブ２の屈曲部２ａを踏んで潰してしまうのを防止できる。つまり、上部突出部５２がチューブ２の屈曲部を保護するので、品質向上に有利である。
【００３４】
また、加温パネル５とポンプチューブホルダー６との相対位置は、位置決め部９Ａ，９Ｂによってずれないように固定されるので、液体回路１を折り畳んだ際の枠部５５の上辺から突出するチューブ２の屈曲部２ａの突出長さｈａは略一定に決まる。そして、上部突出部５２の長さＨａは、チューブ２の屈曲部２ａの突出長さｈａと同じか、または長くなる。その結果、この上部突出部５２を下に向けて液体回路１を縦置きした場合等にも、上部突出部５２が床面に干渉して隙間を作るので、パネル本体部５１の周縁（枠部５５）でチューブ２の屈曲部２aを踏んで潰してしまうのを防止でき、品質向上に有利である。
【００３５】
なお、計量チャンバパネル８は加温パネル５の表面側に重なり（図７参照）、更に、表面側にチューブ２が配置されているので、計量チャンバパネル８と加温パネル５とを接続するチューブ２の屈曲部２ｂは、加温パネル５の下辺５ｂを跨ぐことは無い。しかしながら、屈曲部２ｂは、実質的に加温パネル５の外周（下辺５ｂ）から外側に突出してはみ出しており、この突出長さｈｂと、下辺５ｂに形成された下部突出部５３の突出長さＨｂとは同じか、下部突出部５３の方が長い。その結果、この下部突出部５３を下に向けて液体回路１を縦置きした場合等にも、下部突出部５３が床面に干渉して隙間を作るので、パネル本体部５１の周縁（枠部５５）でチューブ２の屈曲部２ｂを踏んで潰してしまうのを防止でき、品質向上に有利である。
［ポンプチューブホルダー］
【００３６】
加温パネル５の上方には、少なくとも、アーチ状に湾曲した３本のチューブ２と、スパイク針１１に接続する二本のチューブ２とが突き出しており、これらのチューブ群のうち、湾曲した３本のチューブ２は、液体流路３における圧送用流路部４Ｂに相当する。圧送用流路部４Ｂを形成する各チューブ２の湾曲部分は、透析装置１００に装着された際に、ローラポンプ１１３のローラ１１３ａに巻回される巻回部２１である（図２参照）。圧送用流路部４Ｂの各チューブ２は、ポンプチューブホルダー６によって定形状で、且つ等間隔で保持される。
【００３７】
ポンプチューブホルダー６は、横長で板状の支持プレート６１と、二本のスパイク針１１を固定する針ホルダー６２とを備えている。支持プレート６１の表面には、チューブ２の巻回部２１を挟み込んで保持する係止部６１ａが設けられている。係止部６１ａは、一対が一組になって一つの巻回部２１を保持しており、３本の巻回部２１それぞれに対応して計三組が設けられている。
【００３８】
また、針ホルダー６２は、支持プレート６１の端部に設けられている。針ホルダー６２は、スパイク針１１が収まる程度の長さを有する縦長の箱状であり、スパイク針１１の根元部分を挟持してスパイク針１１を内部で安定的に保持する。
［計量チャンバパネル］
【００３９】
加温パネル５の下方には、チューブ２を介して計量チャンバパネル８が接続されている。計量チャンバパネル８は、ＰＰでブロー成形することにより計量チャンバ部分８１とプレート部分８２とを一体成形しており、剛性を向上させている。
【００４０】
プレート部分８２は、三か所に計量チャンバ部分８１が形成された胴部８２ａと、胴部８２ａから突き出た首部８２ｂとを備えており、胴部８２ａ、及び首部８２ｂの双方に液体の流路が形成されている。流路の入口と出口とは、それぞれチューブ２に接続されている。プレート部分８２に形成された流路、及び計量チャンバ部分８１は計量用流路部４Ｃであり、計量用流路部４Ｃは、計量チャンバパネル８によって定形状にて保持されている。
［位置決め部］
【００４１】
図５〜図８に示されるように、加温パネル５、ポンプチューブホルダー６、及び計量チャンバパネル８は、可撓性を有するチューブ２で折り畳まれる。更に、加温パネル５とポンプチューブホルダー６とは、互いの相対位置がずれないように位置決め部（以下、「第１位置決め部」という）９Ａで固定される。また、加温パネル５と計量チャンバパネル８とは、互いの相対位置がずれないように位置決め部９Ｂ（以下、「第２位置決め部」という）で固定される。
【００４２】
ポンプチューブホルダー６の支持プレート６１の表面の二か所には、凸状の矩形凸部（サブ側嵌合部）６１ｂが設けられている。一方で、加温パネル５の枠部５５の裏面には、上辺５ａの近傍で、且つポンプチューブホルダー６が重なる領域の二か所に凹状の矩形凹部（メイン側嵌合部）５５ａが形成されている。矩形凹部５５ａは、横断面が矩形環状であり、内側に矩形凸部６１ｂが嵌り込んで固定される。
【００４３】
つまり、第１位置決め部９Ａ（図５及び図６参照）は、ポンプチューブホルダー６に設けられた矩形凸部６１ｂと、加温パネル５に設けられた矩形凹部５５ａとを備えている。なお、本実施形態では、矩形凹部５５ａの内側に矩形凸部６１ｂが嵌め込まれて位置決めされる態様を例示したが、逆であってもよい。
【００４４】
また、計量チャンバパネル８（図７及び図８参照）の首部８２ｂの先端中央には、位置決め用の孔（位置決め切欠き）８２ｃが設けられている。位置決め切欠き８２ｃはサブ側嵌合部である。一方で、加温パネル５の枠部５５の表面には、下辺５ｂの略中央には、アーチ状に突き出た計量チャンバ固定部５５ｂが設けられている。計量チャンバ固定部５５ｂは、位置決め切欠き８２ｃに嵌め込まれて計量チャンバパネル８を固定する。
【００４５】
つまり、第２位置決め部９Ｂは、計量チャンバパネル８に設けられた位置決め切欠き（サブ側嵌合部）８２ｃと、加温パネル５に設けられた計量チャンバ固定部（メイン側嵌合部）５５ｂとを備えている。位置決め切欠き８２ｃを貫通して突き出した計量チャンバ固定部５５ｂの内側には、例えば、樹脂製のピンや紐などからなる抜け止め用の係止部材１０が差し込まれて固定される。
【００４６】
上述の液体回路１を搬送する場合には、加温パネル５、ポンプチューブホルダー６、及び計量チャンバパネル８を互いに重ね合わせるように折り畳み、所定の袋に収めた後、段ボール箱などの搬送容器に収納する。搬送容器には、複数の液体回路１が重なるように収容され、所定個数を箱詰めすると封をして搬送する。
【００４７】
本実施形態に係る液体回路１では、液体流路３の各流路部４Ａ，４Ｂ，４Ｃが加温パネル５、ポンプチューブホルダー６、及び計量チャンバパネル８にそれぞれ保持される。更に、位置決め部９Ａ，９Ｂによって加温パネル５、ポンプチューブホルダー６、及び計量チャンバパネル８同士の相対位置も固定されるので、液体流路３を折り畳んで纏めても液体回路１の形状は崩れ難く、安定している。
【００４８】
また、加温パネル５、ポンプチューブホルダー６、及び計量チャンバパネル８同士の相対位置が固定されているので、各流路部４Ａ，４Ｂ，４Ｃを接続しながら折れ曲がるチューブ２の曲げに起因して生じるキンク等の不具合を抑制でき、品質の安定性に有利である。
【００４９】
また、液体回路１では、加温パネル（メイン保持部）５の外縁で囲まれた領域の面積は、ポンプチューブホルダー（サブ保持部）６や計量チャンバパネル（サブ保持部）８の加温パネル５に重なる側の面積よりも大きい。更に、ポンプチューブホルダー６は加温パネル５の裏面に重なった際に、加温パネル５の領域内に収まり、また、計量チャンバパネル８は加温パネル５の表面に重なった際に、加温パネル５の領域内に収まる。したがって、液体回路１は、コンパクト化に有利である。
【００５０】
また、第１位置決め部９Ａでは、矩形凹部５５ａを矩形凸部６１ｂに嵌め込むことで、加温パネル５とポンプチューブホルダー６との相対位置を確実に、簡易に固定できる。また、第２位置決め部９Ｂでは、位置決め切欠き８２ｃを計量チャンバ固定部５５ｂに嵌め込むことで、加温パネル５と計量チャンバパネル８との相対位置を確実に、簡易に固定できる。
【００５１】
また、本実施形態では、液体流路３を通過する液体を加温する加温パネル５によって流路部４Ａを保持させ、ローラポンプ１１３に装着される巻回部２１を保持するポンプチューブホルダー６によって、流路部４Ｂを保持させ、計量チャンバパネル８によって流路部４Ｃを保持させている。つまり、加温パネル５、ポンプチューブホルダー６、及び計量チャンバパネル８によって各流路部４Ａ，４Ｂ，４Ｃの保持という機能を兼用させることで、部品点数を抑え、コンパクト化に有利である。
【００５２】
また、計量チャンバパネル８は、加温パネル５を挟んでポンプチューブホルダー６とは反対側に配置しているので、液体回路１を折り畳んだ際に、加温パネル５の表面側にポンプチューブホルダー６を重ね、裏面側に計量チャンバパネル８を重ねるようにして折り畳めるので、コンパクト化に有利である。
【００５３】
また、ポンプチューブホルダー６には、スパイク針１１を固定する針ホルダー６２が設けられており、針ホルダー６２によってスパイク針１１を安定して保持させることができる。
【符号の説明】
【００５４】
１…補液回路（液体回路）、２…チューブ、３…液体流路、４Ａ…加温用流路部（流路部）、４Ｂ…圧送用流路部、４Ｃ…計量用流路部、５…加温パネル（メイン保持部）、５ａ…上辺（パネル本体部の周縁）、５ｂ…下辺（パネル本体部の周縁）、６…ポンプチューブホルダー（サブ保持部）、８…計量チャンバパネル（サブ保持部）、９Ａ，９Ｂ…位置決め部、１１…スパイク針、２ａ…チューブの屈曲部、５１…パネル本体部、５２…上部突出部、５３…下部突出部、５５ａ…矩形凹部（メイン側嵌合部）、５５ｂ…計量チャンバ固定部（メイン側嵌合部）、６１ｂ…矩形凸部（サブ側嵌合部）、６２…針ホルダー、８２ｃ…位置決め切欠き（サブ側嵌合部）、Ｈａ…上部突出部の突出長さ、ｈａ…チューブの上側の屈曲部の突出長さ、Ｈｂ…下部突出部の突出長さ、ｈｂ…チューブの下側の屈曲部の突出長さ。
【図１】
2015073847.tif 000003
【図２】
2015073847.tif 000004
【図３】
2015073847.tif 000005
【図４】
2015073847.tif 000006
【図５】
2015073847.tif 000007
【図６】
2015073847.tif 000008
【図７】
2015073847.tif 000009
【図８】
2015073847.tif 000010